(57)【要約】【課題】インジケータリングを備えた管継手を採用する場合に、確実にインジケータリングを露出させることで、管継手が管端に確実に接続されていることを確認する。【解決手段】管継手接続治具２０は、接続対象の管を保持する管保持部２１と、管保持部２１に保持された管の管軸と管継手１の中心軸が一致するように管継手１を保持する管継手保持部２２と、管保持部２１と管継手保持部２２を相対的に近接させることで管の管端を管継手１に押し込む管端押し込み機構部２３と、管端押し込み機構部２３の押し込み動作に伴う弾性圧縮の復元力によって管保持部２１と管継手保持部２２を強制的に離間させて引き抜き力を付加するインジケータリング露出機構部２４とを備える。【選択図】図２
2014126147.tif 000002
【特許請求の範囲】
【請求項１】
管端を押し込むことで接続が完了し接続された管に引き抜き力を付加することでインジケータリングが露出する管継手に管を接続するための管継手接続治具であって、
接続対象の管を保持する管保持部と、
前記管保持部に保持された管の管軸と管継手の中心軸が一致するように当該管継手を保持する管継手保持部と、
前記管保持部と前記管継手保持部を相対的に近接させることで前記管の管端を前記管継手に押し込む管端押し込み機構部と、
前記管端押し込み機構部の押し込み動作に伴う弾性圧縮の復元力によって前記管保持部と前記管継手保持部を強制的に離間させて前記引き抜き力を付加するインジケータリング露出機構部とを備えることを特徴とする管継手接続治具。
【発明の詳細な説明】
【技術分野】
【０００１】
本発明は、管端に管継手を接続するための治具に関するものである。
【背景技術】
【０００２】
屋内ガス配管などでは金属コルゲート管の表面を樹脂で被覆したフレキシブル管が使用されることがある。このフレキシブル管の接続には、施工性の観点からワンタッチ接続が可能な管継手が使用されており、この種の管継手には、フレキシブル管の端部と管継手との気密性が安定的に保持されると共に、フレキシブル管の端部が正常に管継手に接続されていることを目視確認できるものが採用されている（下記特許文献１参照）。
【０００３】
図１は、前述した管継手の構造及び機能を示した説明図である。図において、管継手１は、金属コルゲート管１０１の周囲を被覆樹脂１０２で覆ったフレキシブル管１００の端部に接続される。管継手１は、継手本体２と、継手本体２に部分的に挿入される押ナット３と、継手本体２の内部に装着される弾性手段４（圧縮コイルばね４１，ガイド部材４２，スライド部材４３）と、第１のシール部材５と、リテーナ６と、ストップリング７と、第２のシール部材８と、第３のシール部材９と、インジケータリング１０とを備えている。
【０００４】
図１（ａ）に示すように、被覆樹脂１０２を先端部から除去したフレキシブル管１００を管継手１に挿入すると、金属コルゲート管１０１の先端はスライド部材４３に当接し、図示矢印に沿って挿入されたフレキシブル管１００の管端と押ナット３を継手本体２内に押し込むことで、図１（ｂ）に示すように、スライド部材４３と継手本体２の内側で拘束されていたガイド部材４２が開放されて圧縮コイルばね４１が復元し、その復元力でガイド部材４２は第一のシール部材５のパッキン５１を押す。第一のシール部材５に押されたリテーナ６は図１（ｂ）の矢印方向にスライドして金属コルゲート管１０１の谷部に係合し、フレキシブル管１００は管継手１に固定される。この際圧縮コイルばね４１の復元力によりパッキン５１は半径方向に膨張するので、継手本体２とフレキシブル管１００とのシール性が確保される。
【０００５】
図１（ｂ）に示す状態でフレキシブル管１００と管継手１との接続は完了しているが、それを確認するとともに、施工管理者が後で確認できるようにするために、図１（ｃ）に示すように、接続されたフレキシブル管１００に引き抜き力を付加する。この状態ではフレキシブル管１００は押ナット３に強固に連結しているので、押ナット３はフレキシブル管１００と一体となって継手本体２から僅かに抜け、図１（ｃ）に示すようにインジケータリング１０が継手本体２の環状溝２ａから外に現れる。
【０００６】
このようなインジケータリング１０を備えた管継手１によると、フレキシブル管１００の押し込み後にフレキシブル管１００に引き抜き力を付加する工程を追加することにより、フレキシブル管１００の管継手１への接続完了を確認できるだけでなく、接続作業が正常に行われたことをインジケータリング１０の露出によって明示することができる。
【先行技術文献】
【特許文献】
【０００７】
【特許文献１】国際公開ＷＯ２０１０／１３１６０９号公報
【発明の概要】
【発明が解決しようとする課題】
【０００８】
前述したようなインジケータリングを備えた管継手を採用する場合、管継手にフレキシブル管を真直ぐ押込む必要があり、また、インジケータリングを露出させるためには、フレキシブル管を管継手内に押し込んだ後に引き抜き力を付加する工程を追加する必要がある。作業者にとってはこの工程は煩わしさを感じる作業であり、また、インジケータリングを十分に露出させるためには比較的大きな引き抜き力（数十〜百数十Ｎ程度）が必要になる。一方、フレキシブル管が正常に押込まれていないにもかかわらず、インジケータリングが露出してしまう場合があり、この場合には、管継手が管端に確実に接続されているか否かを判別できないという問題があった。
【０００９】
本発明は、このような問題に対処することを課題の一例とするものである。すなわち、インジケータリングを備えた管継手を採用する場合に、管継手に接続対象管を真直ぐに押し込むことで精度良く接続を完了させることができ、接続後には確実にインジケータリングを露出させることで、管継手が管端に確実に接続されていることを目視確認することができ、後続作業を円滑に行うことができる管継手接続治具を提供すること、等が本発明の目的である。
【課題を解決するための手段】
【００１０】
このような目的を達成するために、本発明による管継手接続治具は、以下の構成を少なくとも具備するものである。
管端を押し込むことで接続が完了し接続された管に引き抜き力を付加することでインジケータリングが露出する管継手に管を接続するための管継手接続治具であって、接続対象の管を保持する管保持部と、前記管保持部に保持された管の管軸と管継手の中心軸が一致するように当該管継手を保持する管継手保持部と、前記管保持部と前記管継手保持部を相対的に近接させることで前記管の管端を前記管継手に押し込む管端押し込み機構部と、前記管端押し込み機構部の押し込み動作に伴う弾性圧縮の復元力によって前記管保持部と前記管継手保持部を強制的に離間させて前記引き抜き力を付加するインジケータリング露出機構部とを備えることを特徴とする管継手接続治具。
【発明の効果】
【００１１】
このような構成を備えた管継手接続治具によると、管保持部に接続対象の管を保持させ、管継手保持部に管継手を保持させた状態で、管端押し込み機構部を動作させることで接続対象管の管端を管継手内に押し込んで両者の接続を適正に完了させることができる。その後、インジケータリング露出機構部を操作することで、管保持部と管継手保持部が弾性圧縮の復元力によって強制的に離間することになり、接続された管に所望の引き抜き力が付加されて管継手が備えるインジケータリングを正常に露出させることができる。
【００１２】
このような管継手接続治具を用いることによって、インジケータリングを備えた管継手を採用するに際して、確実に管継手に接続対象管を押し込み、さらに確実にインジケータリングを露出させることができ、管継手が管端に確実に接続されていることを確認することができるので、後続作業を円滑に行うことができる。
【図面の簡単な説明】
【００１３】
【図１】インジケータリングを備えた管継手の構造及び機能を示した説明図である。
【図２】本発明の一実施形態に係る管継手接続治具の全体構成を示した概念図である。
【図３】本発明の一実施形態に係る管継手接続治具における管保持部の具体的な構成例を示した説明図である。
【図４】本発明の一実施形態に係る管継手接続治具における伝動機構の具体的な構成例を示した説明図である。
【発明を実施するための形態】
【００１４】
以下、図面を参照しながら本発明の実施形態を説明する。図２は本発明の一実施形態に係る管継手接続治具の全体構成を示した概念図である。本発明の実施形態に係る管継手接続治具２０は、図１に示した管継手１に接続対象の管（フレキシブル管１００）を接続するための治具である。この管継手接続治具２０は、管保持部２１、管継手保持部２２、管端押し込み機構部２３、インジケータリング露出機構部２４を備えている。
【００１５】
管保持部２１は、フレキシブル管１００などの接続対象管を保持する機構を備えている。図３は管保持部２１の具体的な構成例を示している。管保持部２１は治具本体２０Ａの上部に設けられ、図示の例では、一対の弾性支持部２１Ａ、一対の挟持部２１Ｂ、一対の間隔調整部２１Ｃ、間隔調整具２１Ｄなどを備えている。この例では、ボルトナットなどで構成できる間隔調整具２１Ｄを調整することで一対の間隔調整部２１Ｃの間隔を調整し、一対の弾性支持部２１Ａに支持された一対の挟持部２１Ｂ間に接続対象管１００Ａ又は１００Ｂを挟んで保持する。この管保持部２１は常に接続対象管１００Ａ又は１００Ｂの管軸Ｏ１の位置を一定位置に保持することができるものである。また、この管保持部２１は、異なる外径（Ｒ１又はＲ２）を有する接続対象管１００Ａ又は１００Ｂを保持することができ、いずれの外径の接続対象管（１００Ａ又は１００Ｂ）を保持する場合にも接続対象管（１００Ａ又は１００Ｂ）の管軸の位置が治具本体２０に対して常に一定位置に保持される。
【００１６】
管継手保持部２２は、管継手１を保持する機構を備えている。この管継手保持部２２は、管保持部２１に保持された管の管軸と管継手１の中心軸が一致するように管継手１を保持するものである。具体的な構成としては、図３に示した管保持部２１の構成と同等の構成を採用することができる。
【００１７】
管端押し込み機構部２３は、管継手保持部２２を支持するスライド部材２３Ａ、スライド部材２３Ａを治具本体２０Ａにスライド自在に支持する支持部材（支持ローラ）２３Ｂ、スライド部材２３Ａをスライドさせるためのスライドハンドル２３Ｃ、伝動機構２３Ｄなどによって構成され、管保持部２１と管継手保持部２２を相対的に近接させることで接続対象管の管端を管継手１に押し込む機能を有するものである。図示の例では、スライド部材２３Ａに管継手保持部２２が支持されている例を示しているが、これに限らず、スライド部材２３Ａに管保持部２１が支持され、治具本体２０Ａに管継手保持部２２が支持される構成であってもよい。
【００１８】
図２及び図４によって伝動機構２３Ｄの具体例を説明する。スライドハンドル２３Ｃはその上端部が治具本体２０Ａの軸２３Ｅにて揺動自在に支持され矢印ａ方向にバネ付勢されている。これによってスライドハンドル２３Ｃを矢印ｂ方向に揺動操作した後手を離すとバネ力によって矢印ａ方向に戻るようになっている。また、軸２３Ｅにはラチェット歯車２３Ｆ１とかみ合い歯車２３Ｆ２とが同軸に一体となった二重歯車２３Ｆが回転自在に軸支されている。
【００１９】
スライドハンドル２３Ｃにはラチェット送り部材２３Ｇが軸支されており、このラチェット送り部材２３Ｇはラチェット歯車２３Ｆ１に常時噛み合うようにラチェット歯車２３Ｆ１側に向けてバネ付勢されている。また、ラチェット送り部材２３Ｇにはそのバネ付勢に抗してラチェット送り部材２３Ｇをラチェット歯車２３Ｆ１から引き離すための送り解除レバー２３Ｇ１が一体に設けられている。二重歯車２３Ｆのかみ合い歯車２３Ｆ２には治具本体２０Ａに軸支された伝動歯車２３Ｈが噛み合っており、この伝動歯車２３Ｈがスライド部材２３Ａに設けられたかみ合い歯２３Ａ１に噛み合いラックアンドピニオン機構を構成している。
【００２０】
このような伝動機構２３Ｄによると、スライドハンドル２３Ｃを矢印ｂ方向に揺動操作することで、ラチェット歯車２３Ｆ１に係合したラチェット送り部材２３Ｇが二重歯車２３Ｆを回動させ、伝動歯車２３Ｈを介してスライド部材２３Ａを矢印ｃ方向にスライドさせる。スライドハンドル２３Ｃは一定の揺動範囲操作した後は手を離すことで元の位置に戻るので、スライドハンドル２３Ｃを繰り返し揺動操作することでスライド部材２３Ａを矢印ｃ方向に継続的にスライドさせることができる。
【００２１】
インジケータリング露出機構部２４は、管端押し込み機構部２３の押し込み動作に伴う弾性圧縮の復元力によって管保持部２１と管継手保持部２２を強制的に離間させて管継手１とフレキシブル管１００の接続に引き抜き力を付加する機構である。図示の例では、インジケータリング露出機構部２４は、スライド部材２３Ａと一体に設けられる弾性部材圧縮部２４Ａと、スライド部材２３Ａにおける矢印ｃ方向のスライドに伴い弾性部材圧縮部２４Ａによって弾性圧縮される弾性部材（圧縮バネ）２４Ｂと、前述した送り解除レバー２３Ｇ１と、ガイド部２４Ｃなどによって構成されている。弾性部材圧縮部２４Ａはスライド部材２３Ａのスライド方向に沿って設けられるガイド部２４Ｃに沿ってスライドするように規制されており、このガイド部２４Ｃ内に弾性部材（圧縮バネ）２４Ｂが配備されている。
【００２２】
このような構成を有する管継手接続治具２０の使用方法及び機能を説明する。先ず、管保持部２１に接続対象管（フレキシブル管１００）を保持させると共に管継手保持部２２に管継手１を保持させる。この状態で接続対象管の管軸と管継手１の中心軸は同軸上に配置されることになる。この状態でスライドハンドル２３Ｃを繰り返し操作してスライド部材２３Ａを矢印ｃ方向にスライドさせ、管保持部２１と管継手保持部２２を近接させて管継手１内に接続対象管の管端を押し込む。この押し込みによって接続対象管と管継手１との接続が完了する。このように管継手接続治具２０を用いて接続対象管と管継手１の接続を行うと、接続対象管の管軸と管継手１の中心軸が同軸上に配置された状態で接続が行われるので常に適正な接続がなされる。
【００２３】
前述したスライドハンドル２３Ｃの操作によってスライド部材２３Ａが矢印ｃ方向にスライドすると弾性部材圧縮部２４Ａが弾性部材（圧縮バネ）２４Ｂを弾性圧縮する。作業者は接続対象管と管継手１との接続完了を認識すると、送り解除レバー２３Ｇ１を矢印ｄ方向に操作しラチェット歯車２３Ｆ１からラチェット送り部材２３Ｇを引き離す。この操作によって、二重歯車２３Ｆ、伝動歯車２３Ｈ、スライド部材２３Ａがフリーな状態になるので、弾性圧縮された弾性部材２４Ｂの復元力によってスライド部材２３Ａは矢印ｅ方向にスライドすることになり、管保持部２１と管継手保持部２２が強制的に引き離される。これによって接続対象管と管継手１との接続に引き抜き力が付与されることになり、管継手１が備えるインジケータリング１０が図１（ｃ）に示すような露出状態になる。
【００２４】
ここで、弾性圧縮された弾性部材２４Ｂの復元力は管継手１のインジケータリング１０を露出させるのに適正な値に設定されている。これによって、作業者は、送り解除レバー２３Ｇ１の簡易な操作のみで接続対象管と管継手１との接続完了の確認を行うことができ、同時に管継手１から確実にインジケータリング１０を露出させることができる。
【００２５】
このように管継手接続治具２０を用いることで、インジケータリング１０を備えた管継手１を採用する場合に、真直ぐに管継手１にフレキシブル管１００を押込むことで確実に管端に管継手１を接続させることができ、さらに確実にインジケータリング１０を露出させることで、管継手１が管端に確実に接続されていることを確認することができる。これによって後続作業を円滑に行うことが可能になる。
【００２６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００２７】
１：管継手，
１０：インジケータリング，
２０：管継手接続治具，２０Ａ：治具本体，
２１：管保持部，２２：管継手保持部，
２３：管端押し込み機構部，２４：インジケータリング露出機構部，
１００：フレキシブル管
【図１】
2014126147.tif 000003
【図２】
2014126147.tif 000004
【図３】
2014126147.tif 000005
【図４】
2014126147.tif 000006